(57)【要約】【課題】  回路基板そのものを水密構造とし、ケースとカバーの精度の高い成型が不要で、組立ての簡単なキートップを実現する。【解決手段】    接続すべき少なくとも２本の配線パターンが形成された絶縁シートと、この絶縁シート上に形成され、押圧することにより前記配線パターン同士を接続するスイッチと、このスイッチを含む絶縁シートを挟んで構成されるプッシュスイッチのキートップにおいて、  前記スイッチを含む絶縁シートの少なくとも片面を絶縁フィルムで水密に覆った。【選択図】                    図１
2005135789.tif 000002
【特許請求の範囲】
【請求項１】
接続すべき少なくとも２本の配線パターンが形成された絶縁シートと、この絶縁シート上に形成され、押圧することにより前記配線パターン同士を接続するスイッチと、このスイッチを含む絶縁シートを挟んで構成されるプッシュスイッチのキートップにおいて、
前記スイッチを含む絶縁シートの少なくとも片面を絶縁フィルムで水密に覆ったことを特徴とするプッシュスイッチのキートップ。
【請求項２】
前記スイッチを含む絶縁シートの少なくとも片面を絶縁フィルムで水密に覆うに際しては接着剤を用いたことを特徴とする請求項１記載のプッシュスイッチのキートップ。
【請求項３】
前記絶縁シートはキーケースと、キートップの間に配置され、前記キーケースとキーカバーは嵌め込んで固定されたことを特徴とする請求項１記載のプッシュスイッチのキートップ。
【発明の詳細な説明】
【技術分野】
【０００１】
本発明は、プッシュスイッチのキートップに係わり、特に防水構造のパネルに設けられたキートップの改良に関するものである。
【背景技術】
【０００２】
キートップを防水構造にした先行技術としては、例えば下記のようなものがある。
【０００３】
【特許文献１】特開平１０−３０４４７９号公報
【特許文献２】実開平７−２５５２９号公報
【０００４】
図３は上記特許文献１に開示された「開閉蓋付きリモートコントローラ」１の要部断面図である。この従来例について簡単に説明する。図３において、ケーシング２内のプリント配線基板１０にはキートップ６，７に対応する位置に球面クリックバネ形プッシュスイッチ１１が搭載されており、上縁部近傍に蓋開閉検出用のスイッチ形ホールＩＣ１２が配置されている。キートップ５，６はケーシング２の穴と蓋４の穴にそれぞれ装着され、表面には全面的に樹脂製シート８，９が貼付されている。
【０００５】
図４は上記特許文献２に開示された「プッシュスイッチのキートップ」の断面図である。
この従来例について簡単に説明する。
図４は防水構造を有する電子機器の筐体３１を示している。この筐体３１の本体３２の開口部には、操作用スイッチ類を配置するためのパネル３３が載置されている。
【０００６】
パネル３３の内面にはボス３４が設けられており、ボス３４には基板３５が取り付けられている。筐体３１の内部に位置する該基板３５のパネル３３側には、プッシュスイッチ３６が設けられている。パネル３３のプッシュスイッチ３６に対面する部分には、このプッシュスイッチ３６を操作するキートップ３７を設けるためにキー孔３８が形成されている。
【０００７】
パネル３３の上には防水シート３９が重ねられている。この防水シート３９には、パネル３３のキー孔３８に対応する部分に、キートップ３７としての突起が一体に設けられている。この突起は、キー孔３８の内側に突出して前記プッシュスイッチ３６を押圧する押圧部４０と、外側に突出して指で操作される操作部４１とを有している。
【０００８】
防水シート３９の上には外装パネル４２が重ねられており、この外装パネル４２には、防水シート３９の形状に対応して設けられたキー孔４３からキートップ３７の操作部４１が突出している。そして、本体３２とパネル３３と外装パネル４２は、ビス等の固定手段で一体に固定されている。
【０００９】
図５は他の従来例を示すもので、図３，図４に示す従来例と同様、防水構造を有する電子機器に用いられる。図５において、５０は凹部５１を有するキーケースである。５２は絶縁シート（例えばＰＣＢからなる回路基板）であり、キーケースの凹部５１に格納される。この絶縁シート５２の表面には例えばメタルドーム式の複数のスイッチ５３がハンダ付けされている。
【００１０】
５４はゴムの成型品からなるキートップで絶縁シート５２を覆って配置される。このキートップ５４には前述の複数のスイッチ５３に対応する位置に複数の突起５５が形成されている。５６はキートップ５４を覆うように配置されたキーカバーであり、キートップ５４に形成された複数の突起５５に対応する位置に複数の孔５７が形成されている。
【００１１】
これらの部品はスイッチ５３にキートップの突起が対向し、この突起が突き出るようにキーカバー５６の孔が対向して順次重ねられ、ネジ５８によりＰＣＢ回路基板５２が水密となるように締め付けられる。
【発明の開示】
【発明が解決しようとする課題】
【００１２】
ところで上述のプッシュスイッチでは次のような問題点があった。
絶縁シート（ＰＣＢ回路基板）が浸水しないようにゴムであるキートップを、ケースとカバーで挟み込むには、ゴムの弾性を利用して、圧縮して密封する必要があり、ゴムの反力に負けないように勘合する必要がある。そのために裏からネジなどで締め付けを行っている。
水の浸水を防ぐために、ケースとカバーは隙間が最小になるように勘合する必要がある。そのためにプラスチック成型品であるケースとカバーは、高い精度を必要とする。
【００１３】
従って本発明が解決しようとする課題は、絶縁シートそのものを水密構造とし、ケースとカバーの精度の高い成型が不要なキートップを実現することにある。
【課題を解決するための手段】
【００１４】
このような課題を達成するために、本発明のうち請求項１記載の発明は、
接続すべき少なくとも２本の配線パターンが形成された絶縁シートと、この絶縁シート上に形成され、押圧することにより前記配線パターン同士を接続するスイッチと、このスイッチを含む絶縁シートを挟んで構成されるプッシュスイッチのキートップにおいて、
前記スイッチを含む絶縁シートの少なくとも片面を絶縁フィルムで水密に覆うことによりキーケースとキーカバーの中に水が浸入しても短絡や腐食の心配がない。
【００１５】
請求項２記載の発明は、請求項１記載のプッシュスイッチのキートップにおいて、
前記スイッチを含む絶縁シートの少なくとも片面を絶縁フィルムで水密に覆うに際しては接着剤を用いたので構成が簡単である。
【００１６】
請求項３記載の発明は、請求項１記載のプッシュスイッチのキートップにおいて、
前記絶縁シートはキーケースと、キートップの間に配置され、前記キーケースとキーカバーは嵌め込んで固定されているので構成が簡単で組み立ても容易である。
【発明の効果】
【００１７】
本発明によれば次のような効果がある。
請求項１乃至３に記載の発明によれば、スイッチを含むキーシートの少なくとも片面を絶縁フィルムで水密に覆うので、キーケースとキーカバーの中に水が浸入しても短絡や腐食の心配がない。
【００１８】
また、スイッチを含むキーシートの少なくとも片面を絶縁フィルムで水密に覆うに際し接着剤を用い、キーシートはキーケースと、キートップの間に配置され、キーケースとキーカバーは嵌め込んで固定されているので構成が簡単で組み立ても容易である。従って、従来のように水の侵入を防ぐためにネジを強く締める必要がない。
【発明を実施するための最良の形態】
【００１９】
以下本発明を図面を用いて詳細に説明する。図１は本発明に係るプッシュスイッチのキートップの配置状態を示す斜視図、図２は本発明で使用するキーシート（絶縁シート６０、スイッチ６１及び絶縁フィルム６２の組み立て部品）の要部を示す斜視図である。
【００２０】
図１において、５０ａは長方形状のキーケースであり、一端に配線取り出し孔５０ｂが形成されている。５２ａは同じく長方形状の絶縁部材からなり、一端にフレキシブル配線５２ｂを有するキーシートである。フレキシブル配線５２ｂはキーケース５０ａの配線取り出し孔５０ｂから計器内部に導入される。
【００２１】
図２はキーシート５２ａの一部拡大斜視図である。図に示すように絶縁シート６０の一方の面に例えば銀ペーストなどで印刷されたパターンＡおよびパターンＢが非接触の状態で形成されている。即ち、パターンＢの端部はコ字状に形成され、そのコ字部分の中央付近にパターンＡの一端が入り込んだ状態となっている。
【００２２】
６１はスイッチとして機能するメタルドームで、十字状に形成された薄板の中央部がドーム状に盛り上がった形状に加工されている。このメタルドームは十字部の端部がパターンＢのコ字部に接触した状態で固定される。そして、ドーム部を押圧して凹ませることによりパターンＡ，Ｂが導通状態となる。
【００２３】
６２は絶縁シート６０と同形状に形成された絶縁フィルムで、スイッチ６１の上から絶縁シート６０を覆って接着剤などにより水密に接着される。
【００２４】
図１に戻り、５４ａはキーシート５２ａのスイッチ５２に対向する位置に弾性状の突起５５ａが形成されたキートップであり、キーシート５２ａを覆って配置されている。
５６ａはキーカバーで、キートップ５４ａに形成された突起５５ａに対向する位置に孔５７ａが形成されている。
【００２５】
これらキーケース５０ａ、キーシート５２ａ、キートップ５４ａ、キーカバー５６ａは図１に示す順序に配置されキーカバー５６ａの縁部５６ｂにキーケース５０ａを嵌め込んで固定される。そしてキーカバー５６ａの孔５７ａから突出した突起５５ａを押圧すると、先に述べたようにスイッチ５２ｃのドームが凹んでパターンＡ，Ｂが導通する。
【００２６】
上述の構成によれば、キーシート自身が水密構造となっているので、キーカバー５６ａやキートップ５４ａを介して水等の液体が浸入しても回路の腐食や、接触不良などの事故を防止することができる。従ってネジの締め付けによって密封する必要がなく、ケースやカバーの隙間が最小になるように加工する必要がないので、製作や組立てが簡単になる。
【００２７】
なお、以上の説明は、本発明の説明および例示を目的として特定の好適な実施例を示したに過ぎない。例えば各部品の形状や回路は図示のものに限定するものではない。なお、本実施例ではキーカバー５６ａの縁部５６ｂにキーケース５０ａを嵌め込んで固定したがねじにより固定しても良い。その場合は従来のように水密構造の必要がないので組み立てが容易となる。
したがって本発明は、上記実施例に限定されることなく、その本質から逸脱しない範囲で更に多くの変更、変形を含むものである。
【図面の簡単な説明】
【００２８】
【図１】本発明のプッシュスイッチのキートップの一実施例を示す斜視図である。
【図２】本発明で使用するキーシートの一例を示す斜視図である。
【図３】従来のプッシュスイッチのキートップの一例を示す断面図である
【図４】従来のプッシュスイッチのキートップの他の例を示す断面図である
【図５】従来のプッシュスイッチのキートップの他の例を示す斜視図である
【符号の説明】
【００２９】
５０ａ  キーケース
５０ｂ  配線取り出し孔
５２ａ  キーシート
５２ｂ  フレキシブル配線
５４ａ  キートップ
５５ａ  突起
５６ａ  キーカバー
５６ｂ  縁部
５７ａ  孔
６０  絶縁シート
６１  スイッチ（メタルドーム）
６２  絶縁フィルム
【図１】
2005135789.tif 000003
【図２】
2005135789.tif 000004
【図３】
2005135789.tif 000005
【図４】
2005135789.tif 000006
【図５】
2005135789.tif 000007